(57)【要約】【課題】  着脱可能な軒樋落葉除け用メッシュ固定部材を有する軒樋支持具を提供する。【解決手段】  前方に突出した後耳係止部１を有する固定部２と、この固定部２の上端部より前方に延設した軒樋支持腕部３と、この軒樋支持腕部３の先端に設けられた前耳係止部４と、軒樋支持腕部３の前耳係止部４より後方に設けられた後耳脱落防止部５とを備えた軒樋支持具において、軒樋支持腕部３上に着脱可能な軒樋落葉除け用メッシュ固定部材６を有するので、簡便且つ確実に軒樋落葉除け用メッシュ部を軒樋支持具に固定でき、その際の労力を大幅に軽減し得るとともに、軒樋落葉除け用メッシュ固定部材６は後付けが可能なので、施工作業時に軒樋支持具から軒樋落葉除け用メッシュ固定部材６を外しておけば、施工作業の邪魔にならず、他方、施工作業終了後に事後的に装着することも可能となる。【選択図】図１
2006037429.tif 000002
【特許請求の範囲】
【請求項１】
前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋支持具において、前記軒樋支持腕部上に着脱可能な軒樋落葉除け用メッシュ固定部材を有することを特徴とする軒樋支持具。
【請求項２】
前記軒樋支持腕部の前記前耳係止部近傍の両側端部に軒樋落葉除け用メッシュ固定部材嵌合部を有する一方、前記軒樋落葉除け用メッシュ固定部材が、軒樋落葉除け用メッシュ引っ掛け用爪部と、前記軒樋落葉除け用メッシュ固定部材嵌合部と着脱自在に嵌合可能な軒樋支持腕部把持部材を有することを特徴とする請求項１記載の軒樋支持具。
【発明の詳細な説明】
【技術分野】
【０００１】
本発明は、軒樋の上方開口部を覆う軒樋落葉除け用メッシュ部の固定が可能な軒樋支持具に関するものである。
【背景技術】
【０００２】
従来、軒樋の上方開口部を覆う軒樋落葉除けとしては、種々のものが知られているが、例えば、実開昭５８−６０７１７号公報等に開示するように軒樋１３の開口部１５を覆う軒樋落葉除け用メッシュ部１１を有する軒樋落葉除け１４が例示可能である（図４参照）。ここで、図４は、従来例に係る軒樋落葉除け１４である軒樋ごみよけ網１４ａの構成の概略を模式的に示すもので、（ａ）は、軒樋ごみよけ網１４ａの斜視図、（ｂ）は、その使用状態説明図である。
【０００３】
一方、かかる軒樋落葉除け用メッシュ部１１を有する軒樋落葉除け１４の取付け方法として、図５、図６、図７に示すように、軒樋落葉除け用メッシュ部１１の軒樋支持具Ａ２と重なり合う部位に短冊形状の切除部２０を形成し、この切除部２０と軒樋支持具Ａ２とを嵌合した後、軒樋落葉除け用メッシュ部１１と軒樋支持具Ａ２とを針金２１で固定する方法もよく知られている。しかし、この場合、軒樋落葉除け用メッシュ部１１を軒樋支持具Ａ２の幅と略同一幅に切除するためには、軒樋支持具Ａ２の幅を確認、測定してからハサミ１９等で切除し、切除部２０を形成する必要があり、煩雑な作業が要求される。
【０００４】
かかる軒樋落葉除け用メッシュ部１１を有する軒樋落葉除け１４のより簡便な取付け方法としては、例えば、軒樋落葉除け取付け機構１６として係止爪１７を具備するもの（軒樋支持具Ａ３〔図８参照〕）等が知られている。
【０００５】
しかし、かかる落葉除け取付け機構１６が設けられている軒樋支持具においては、軒樋１３の形状及び軒樋支持具の形状によっては、その落葉除け取付け機構１６の存在が軒樋支持具に軒樋１３を取付ける等の施工作業の際、邪魔になる場合がある。
【０００６】
また、軒樋の設置環境によっては、軒樋落葉除け１４を取付けない場合も多いこと等をも勘案すると、かかる落葉除け取付け機構１６が設けられている軒樋支持具においては、軒樋落葉除け１４を取付けない場合には、その落葉除け取付け機構１６は使用されず、無駄な存在ともなり得るばかりか、美観的にも好ましくない等の不都合をも考慮する必要がある。
【特許文献１】実開昭５８−６０７１７号公報
【発明の開示】
【発明が解決しようとする課題】
【０００７】
本発明は、上記背景技術に鑑みて発明されたものであり、その課題は、着脱可能な軒樋落葉除け用メッシュ固定部材を有する軒樋支持具を提供することである。
【課題を解決するための手段】
【０００８】
上記課題を解決するために、請求項１に係る発明の軒樋支持具にあっては、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋支持具において、前記軒樋支持腕部上に着脱可能な軒樋落葉除け用メッシュ固定部材を有することを特徴とするものである。
【０００９】
請求項２に係る発明の軒樋支持具にあっては、請求項１記載の軒樋支持具において、前記軒樋支持腕部の前記前耳係止部近傍の両側端部に軒樋落葉除け用メッシュ固定部材嵌合部を有する一方、前記軒樋落葉除け用メッシュ固定部材が、軒樋落葉除け用メッシュ引っ掛け用爪部と、前記軒樋落葉除け用メッシュ固定部材嵌合部と着脱自在に嵌合可能な軒樋支持腕部把持部材を有することを特徴とするものである。
【発明の効果】
【００１０】
本発明の軒樋支持具では、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋支持具において、前記軒樋支持腕部上に着脱可能な軒樋落葉除け用メッシュ固定部材を有するので、簡便且つ確実に軒樋落葉除け用メッシュ部を軒樋支持具に固定でき、軒樋落葉除け用メッシュ部を固定する際の労力を大幅に軽減し得るとともに、軒樋落葉除け用メッシュ固定部材は、後付けが可能なので、軒樋支持具に軒樋を取付ける等の施工作業時に軒樋支持具から軒樋落葉除け用メッシュ固定部材を外しておけば、施工作業の邪魔にならず、他方、施工作業終了後に事後的に装着することも可能となる。
【発明を実施するための最良の形態】
【００１１】
以下、本発明の実施形態を図面に基づき説明する。なお、本発明の軒樋支持具は、下記の実施形態にのみ限定されるものではなく、本発明の要旨を逸脱しない範囲内において種々変更を加え得ることは勿論である。
【００１２】
ここで、図１は、本発明の一実施形態である軒樋支持具Ａの構成の概略を示すもので、（ａ）は、上面図、（ｂ）は、正面図、（ｃ）は、（ｂ）のＸ‐Ｘ‘線における断面図である。図２は、本発明の一実施形態である軒樋支持具Ａの構成の要部である軒樋落葉除け用メッシュ固定部材６の嵌合の様子を模式的に示す図である。図３は、軒樋落葉除け用メッシュ固定部材６による軒樋落葉除け用メッシュ部１１の軒樋支持具Ａへの固定の様子を模式的に示す図である。
【００１３】
すなわち、本実施形態の軒樋支持具Ａは、図１に示すように、前方に突出した後耳係止部１を有する固定部２と、この固定部２の上端部より前方に延設した軒樋支持腕部３と、この軒樋支持腕部３の先端に設けられた前耳係止部４と、軒樋支持腕部３の前耳係止部４より後方に設けられた後耳脱落防止部５とを備えた軒樋支持具である。さらに、本実施形態の軒樋支持具Ａでは、軒樋支持腕部３上に着脱可能な軒樋落葉除け用メッシュ固定部材６を有するものである。
【００１４】
この結果、本実施形態の軒樋支持具Ａでは、簡便且つ確実に軒樋落葉除け用メッシュ部１１を軒樋支持具Ａに固定でき、例えば、上記したように、軒樋落葉除け用メッシュ部１１を固定する際、軒樋支持具の幅に合わせて軒樋落葉除け用メッシュ部１１を正確に切抜く作業、或いは、針金２１等で結んで固定する作業等はまったく不要であり、軒樋落葉除け用メッシュ部１１を固定する際の労力を大幅に軽減し得ることとなる。
【００１５】
また、軒樋落葉除け用メッシュ固定部材６は、後付けが可能なので、軒樋支持具Ａに軒樋１３を取付ける等の施工作業時に、軒樋支持具Ａから軒樋落葉除け用メッシュ固定部材６を外しておけば、施工作業の邪魔にならず、他方、施工作業終了後に、所望に応じて、事後的に装着することも可能である。
【００１６】
さらには、軒樋支持具Ａに軒樋落葉除け用メッシュ固定部材６を装着しない場合には、軒樋落葉除け用メッシュ固定部材６が外部から看取される惧れがなく、良好な美観を確保し得ることとなる。
【００１７】
さらに、具体的には、本実施形態の軒樋支持具Ａでは、図１、図２に示すように、軒樋支持腕部３の前耳係止部４近傍の両側端部７（ここでは、右側端部７ａと左側端部７ｂ）に軒樋落葉除け用メッシュ固定部材嵌合部８（ここでは、右側固定部材嵌合部８ａと左側固定部材嵌合部８ｂ）を有する一方、軒樋落葉除け用メッシュ固定部材６が、軒樋落葉除け取付け機構１６である軒樋落葉除け用メッシュ引っ掛け用爪部９と、軒樋落葉除け用メッシュ固定部材嵌合部８と着脱自在に嵌合可能な軒樋支持腕部把持部材１０（ここでは、右側軒樋支持腕部把持部材１０ａと左側軒樋支持腕部把持部材１０ｂ）を有するものである。
【００１８】
この結果、軒樋落葉除け用メッシュ固定部材６は、軒樋支持腕部３の軒樋落葉除け用メッシュ固定部材嵌合部８と軒樋支持腕部把持部材１０を介して所謂“スナップフィット”により、接着剤等は使用することなく、簡便且つ確実に軒樋落葉除け用メッシュ部１１を軒樋支持具Ａに固定でき、また、装着後にスライド等することなく、しっかりと固定でき、さらに、軒樋支持具Ａに対しては、着脱自在となるため、軒樋落葉除け用メッシュ固定部材６が必要な場合のみ、軒樋支持具Ａに軒樋落葉除け用メッシュ固定部材６を装着し、不要な場合は装着せずに済ませられる結果、商品機能の効率化及びトータルコストの削減等の経済的利点につながることとなる。さらに、軒樋落葉除け用メッシュ固定部材６は、種々の軒樋支持具に装着可能な汎用標準部品として構成し得る利点もある。
【００１９】
一方、軒樋落葉除け用メッシュ固定部材６による軒樋落葉除け用メッシュ部１１の軒樋支持具Ａへの固定は、図３に示すように、軒樋落葉除け用メッシュ固定部材６の軒樋落葉除け用メッシュ引っ掛け用爪部９を軒樋落葉除け用メッシュ部１１に引っ掛けることにより達成できることとなる。
【００２０】
以上のように、本発明の軒樋支持具では、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋支持具において、前記軒樋支持腕部上に着脱可能な軒樋落葉除け用メッシュ固定部材を有するので、簡便且つ確実に軒樋落葉除け用メッシュ部を軒樋支持具に固定でき、軒樋落葉除け用メッシュ部を固定する際の労力を大幅に軽減し得るとともに、軒樋落葉除け用メッシュ固定部材は、後付けが可能なので、軒樋支持具に軒樋を取付ける等の施工作業時に軒樋支持具から軒樋落葉除け用メッシュ固定部材を外しておけば、施工作業の邪魔にならず、他方、施工作業終了後に事後的に装着することも可能となる。      
【００２１】
さらには、軒樋支持具に軒樋落葉除け用メッシュ固定部材を装着しない場合には、軒樋落葉除け用メッシュ固定部材が外部から看取される惧れがなく、良好な美観を確保し得ることとなる。
【図面の簡単な説明】
【００２２】
【図１】本発明の一実施形態である軒樋支持具の構成の概略を示すもので、（ａ）は、上面図、（ｂ）は、正面図、（ｃ）は、（ｂ）のＸ‐Ｘ‘線における断面図である。
【図２】本発明の一実施形態である軒樋支持具の構成の要部である軒樋落葉除け用メッシュ固定部材の嵌合の様子を模式的に示す図である。
【図３】軒樋落葉除け用メッシュ固定部材による軒樋落葉除け用メッシュ部の軒樋支持具への固定の様子を模式的に示す図である。
【図４】従来例に係る軒樋落葉除けである軒樋ごみよけ網の構成の概略を模式的に示すもので、（ａ）は、軒樋ごみよけ網の斜視図、（ｂ）は、その使用状態説明図である。
【図５】軒樋落葉除け用メッシュ部を有する従来例に係る雨樋落葉除けの取付けの一例を示す図である。
【図６】図５の従来例に係る雨樋落葉除けの取付けの様子を示す斜視図である。
【図７】図５の従来例に係る雨樋落葉除けの取付けの様子を示す断面図である。
【図８】軒樋落葉除け用メッシュ部と、その係止爪とを有する従来例に係る雨樋落葉除けの取付けの一例を示す断面図である。
【符号の説明】
【００２３】
１    後耳係止部
２    固定部
３    軒樋支持腕部
４    前耳係止部
５    後耳脱落防止部
６    軒樋落葉除け用メッシュ固定部材
７    側端部
７ａ  右側端部
７ｂ  左側端部
８    軒樋落葉除け用メッシュ固定部材嵌合部
８ａ  右側固定部材嵌合部
８ｂ  左側固定部材嵌合部
９    軒樋落葉除け用メッシュ引っ掛け用爪部
１０    軒樋支持腕部把持部材
１０ａ  右側軒樋支持腕部把持部材
１０ｂ  左側軒樋支持腕部把持部材
１１    軒樋落葉除け用メッシュ部
１２    屋根面
１３    軒樋
１４    軒樋落葉除け
１４ａ  軒樋ごみよけ網（従来例）
１５    開口部（軒樋１３）
１６    軒樋落葉除け取付け機構
１７    係止爪
１８    メッシュ切除片（軒樋落葉除け用メッシュ部１１）
１９    ハサミ
２０    切除部（軒樋落葉除け用メッシュ部１１）
２１    針金
Ａ      軒樋支持具
Ａ１    軒樋支持具（従来例）
Ａ２    軒樋支持具（従来例）
Ａ３    軒樋支持具（従来例）
【図１】
2006037429.tif 000003
【図２】
2006037429.tif 000004
【図３】
2006037429.tif 000005
【図４】
2006037429.tif 000006
【図５】
2006037429.tif 000007
【図６】
2006037429.tif 000008
【図７】
2006037429.tif 000009
【図８】
2006037429.tif 000010